(57)【要約】  本発明は弾性密封材が配置される蓋を有する防臭容器に関する。本発明の容器は、好ましくは食品が防臭可能に貯蔵できると共に容易に内容物にアクセスできるような態様で用いられる。本発明の蓋は容器から容易に取り外せると共に容易に装着できる、【選択図】図３
2009502663.tif 000002
【特許請求の範囲】
【請求項１】
主に食品用で、容器蓋体（14）を有し、容器蓋体内に1つの弾性密封材（30）が配置され、該弾性密封材は少なくとも1つの密閉リップ（34）を有し、該密閉リップは容器の縁（18）領域において容器本体壁（16）を側方から圧す防臭容器において、
該密封材（30）は容器の内部空間と連通する調整空間（46）を形成する構造を有し、該調整空間（46）の下方に少なくとも1つの該密閉リップ（34）が配置されることを特徴とする防臭容器。
【請求項２】
容器蓋体内には内側壁（24）が密封材嵌込空間（28）を形成する目的で取り付けられ、該密封材嵌込空間に密封材が嵌込まれることを特徴とする請求項1に記載の容器。
【請求項３】
該密封材（30）は側方の支持壁（32）からなり、該支持壁の下部から上方に少なくとも1つの該密閉リップ（34）が配置され、かつその上部に少なくとも1つの流路（42）を有する隔壁（36）が配置され、その上部に該調整空間（46）が形成されることを特徴とする請求項2に記載の容器。
【請求項４】
該流路を構成するために、該隔壁（36）の縁に複数の切欠き（42）を有することを特徴とする請求項3に記載の容器。
【請求項５】
該調整空間（46）が支持リブ（40）の構造を含み、該支持リブは該支持壁（32）上に形成されることを特徴とする請求項2に記載の容器。
【請求項６】
該支持リブ（40）が交差して配列されていて、かつ容器蓋体壁（26）に付帯していることを特徴とする請求項5に記載の容器。
【請求項７】
該支持リブ（40）の端部が切欠き（44）を有することを特徴とする請求項4に記載の容器。
【請求項８】
該切欠き（44）が該支持リブ（40）の交差領域に配置されることを特徴とする請求項7に記載の容器。
【請求項９】
上部末端壁（38）が該隔壁（36）と平行に密封材（30）上に配置され、該上部末端壁（38）は支持リブ（40）と結合していることを特徴とする請求項3に記載の容器。
【請求項１０】
該密閉リップ（34）が重なり合って配置されることを特徴とする請求項1に記載の容器。
【請求項１１】
該密封材がゴム又はプラスチックからなることを特徴とする請求項1に記載の容器。
【請求項１２】
側方の支持壁（32）の末端部に肩部（48）を配置し、該肩部は内側壁（24）に当接していることを特徴とする請求項3に記載の容器。
【請求項１３】
10〜30個の該切欠きが周囲を取り囲むようにほぼ均等に割り当てられていることを特徴とする請求項4に記載の容器。
【発明の詳細な説明】
【技術分野】
【０００１】
本発明は防臭容器に関するもので、特に食品用で、容器蓋体が付帯し、容器蓋体内に1つの弾性密封材が配置され、この弾性密封材は少なくとも1つの密閉リップを有し、この密閉リップは容器の縁の領域において、容器内壁に対して側方から圧す。
【背景技術】
【０００２】
この種の容器は、特に食品分野で知られており、一方では匂いを密閉して材料を貯蔵すると同時に、他方では使い易いことが求められている。そのため、蓋を素早く取り外し、再び被せることができることが前提とされている。
【０００３】
圧力で密閉する瓶など従来の容器では、充分な密閉圧を加える固定装置（例えば、固定用ヒンジ又は傾斜蓋）が必要であり、そのため容器の開閉には通常両手を要する。また、圧力密閉では時間が経つにつれ可塑的に変形、かつ／又はひび割れて、その結果漏れを生じることがある。
【０００４】
容器の壁側で横方向に配置される密閉リップが付帯している一般的な密封材は、これらの課題を解決して容器を簡単に開き、かつ再び閉じることができ、かつ通常は頻繁に使用しても密閉効果を損なわない。
【０００５】
従来の防臭容器では蓋をする際、密閉リップの上部空間でエアクッションを生じ、そのエアクッションはガススプリングの性質によって反発力を生み出し、その反発力が締まろうとする動きに抵抗し、それによって容器蓋体が完全に閉まった最終的な位置から少し戻ってしまう。
【発明の開示】
【０００６】
本発明の対象は即ち上述の課題を解決し、開閉が簡易にでき、かつ蓋をする際にスプリングバックしない防臭容器を提供することである。
【０００７】
本発明では、これらの課題は請求項1に記載の特徴によって解決される。従属項によって明らかなように、本発明には有利な変形が加えられる。
【０００８】
本発明の特徴の組合せの利点は、組込まれた調整空間によって充分な量の空気が取込まれる結果、蓋をする過程において密閉リップ上方の圧力がほとんど上がらず、不要な「スプリング効果」がなくなるということである。
【０００９】
もうひとつの利点は、洗浄過程（特に食器洗浄機内）で密封材の背後のスペースに侵入する液体が、本発明により排出できる点である。
【００１０】
請求項3の特徴は、密封材のコンパクトなデザインと射出成形による簡易な製造を可能にする。
【００１１】
請求項4の特徴は、空気等の流路のシンプルなデザインを可能とし、密封材の製造を簡略化する。
【００１２】
請求項5の特徴は、密封材の堅牢な構造を保証し、使用中に密封材が大きく変形することを防止する。
【００１３】
請求項6の特徴は、密封材が簡単なデザインであると同時に、堅牢な構造でもあることを可能にする。
【００１４】
請求項7の特徴は、請求項4と同様に、空気等の流路のシンプルなデザインを可能とし、密封材の製造を簡略化する。更なる利点は、特に請求項8の特徴との組合せにおいて、支持リブの自由端が密閉リップに似た作用をし、かつ変形して対向壁に当接することができ、それによって密封材を環状空間内に固定する。
【００１５】
請求項9の特徴は、コンパクトかつ十分に圧力に耐えうる密封材の構造を可能にする。
【００１６】
請求項10の特徴は、単独の密閉リップと比較した場合、複数の密閉リップはより大きな密閉効果及び保持効果を可能にする。
【００１７】
請求項12の特徴は、容器の縁を介して蓋を不適切に被せた場合の損傷から隔壁を保護する。
【００１８】
請求項13の特徴は、水に対する十分な圧力調整と十分な排出性を保証する。
【発明を実施するための最良の形態】
【００１９】
本発明は、添付図を参照して更に説明される。
【００２０】
図1〜図4に記載の容器10は、上部が開いている容器本体12と、この容器本体の上部に密閉して被せることができる蓋体14を含む。
【００２１】
図2では容器10の切取部分が切断されて描かれている。容器本体12の壁16は、上部の縁18の周辺で、肩部20を有し、この肩部に蓋14の縁22がぴったり嵌る。蓋14にはさらに内側壁24が設けられ、この内側壁はそれ自体と蓋体壁26の間に、一連の密封材嵌込空間28を形成し、そこに密封材30が嵌込まれる。
【００２２】
この密封材は支持壁32を含み、この支持壁の下方末端部に2つの密閉リップ34が形成される。これら密閉リップ34は容器の縁18の内側に当接して密封するように形成される。密閉リップ34の上方には隔壁36が支持壁32上に設けられており、隔壁は蓋体壁26の内側に当接している。支持壁32の上方末端部には末端壁38が形成される。
【００２３】
隔壁36と末端壁38の間に支持リブ40が交差して延びる。
【００２４】
隔壁36には、台形の切欠き42が一定の間隔で規則正しく設けられる。同様に支持リブ40の交差部分にも切欠き44が設けられる。
【００２５】
これら切欠き42及び44によって、隔壁36と末端壁38及び支持リブ40の間にある空間は外部空間と共に、互いに対しても連通し、調整空間46を構成し、この調整空間46は容器本体12に蓋体14を押しつけた際に、押しのけた空気の容積を収容する。
【００２６】
これら切欠き42及び44を介して、水（例えば、洗浄過程後の水）も調整空間46から排出することができる。
【図面の簡単な説明】
【００２７】
【図１】図1は、容器の概略図である。
【図２】図2は、図1の容器の部分断面図である。
【図３】図3は、密封材のみを示す斜視図である。
【図４】図4は、支持リブの詳細図である。
【符号の説明】
【００２８】
１０  容器
１２  容器本体
１４  容器蓋体
１６  容器本体壁
１８  容器の縁
３０  密封材
３４  密閉リップ
３８  上部末端壁
４０  支持リブ
４２  流路／切り欠き
４４  流路／切り欠き
４６  調整空間
【図１】
2009502663.tif 000003
【図２】
2009502663.tif 000004
【図３】
2009502663.tif 000005
【図４】
2009502663.tif 000006
【国際調査報告】
2009502663.tif 000007
2009502663.tif 000008
2009502663.tif 000009
2009502663.tif 000010